(57)【特許請求の範囲】
【請求項１】
棒状の把持部と、上記把持部の端部に延設され、複数の毛束からなる毛束部を有するブラシ部とを備えた歯ブラシであって、上記把持部及びブラシ部は側面直線状に形成され、上記毛束部は、先端部に配設された先端毛束部と、上記先端毛束部よりも把持部側に設けられ、より小さい長さ寸法の毛束を有すると共に、上記先端毛束部よりも大きい平面範囲に亘って形成された段差部とを備え、
上記段差部を構成する毛束の長さ寸法は、上記先端毛束部に隣接する毛束が最も短いと共に、後端部に至るに従って次第に大きくなるように形成されていることを特徴とする歯ブラシ。
【請求項２】
上記先端毛束部に隣接する毛束の長さ寸法は、先端毛束部の長さ寸法の１／２以下に形成されていることを特徴とする請求項１記載の歯ブラシ。
【請求項３】
上記先端毛束部を構成する毛の硬度は、上記段差部を構成する毛の硬度より大きいことを特徴とする請求項２に記載の歯ブラシ。
【請求項４】
上記毛束部は、毛束が上記把持部の長さ方向及び幅方向に沿って複数列に亘り配設されて構成され、長さ方向の列の方が幅方向よりも多数列に亘って配設され、先端毛束部は長さ方向に沿って２列の毛束により構成されると共に、段差部は長さ方向に沿って７列以上の毛束により構成されていることを特徴とする請求項３記載の歯ブラシ。
【請求項５】
上記先端毛束部を構成する毛束の長さ寸法は１ｃｍであると共に、上記段差部を構成する３列目及び４列目の毛束の長さ寸法は３〜４ｍｍであることを特徴とする請求項４記載の歯ブラシ。
【請求項６】
上記段差部の長さ方向最後列の毛束の長さ寸法は１ｃｍであることを特徴とする請求項５記載の歯ブラシ。
【請求項７】
上記毛束の直径は１ｍｍであって５０本〜６０本の毛により構成され、各毛束は、各毛束の中央部を基準として２ｍｍの間隔で配置されていることを特徴とする請求項１記載の歯ブラシ。
【請求項８】
上記毛束を形成する毛は、ナイロンおよび飽和ポリエステルから選択される少なくとも１種で形成されていることを特徴とする請求項１乃至請求項７のいずれか１項に記載の歯ブラシ。
【発明の詳細な説明】
【技術分野】
【０００１】
本発明は、歯ブラシに係り、特に、大臼歯、小臼歯及び切歯を磨きやすい歯ブラシに関する。
【背景技術】
【０００２】
図１０に示すように、一般に、歯ブラシ５０は、棒状の把持部５１と、上記把持部５１の端部に首部５２を介して延設され、上記把持部５１の端部に延設され、複数の毛束５３からなる毛束部５４が配設されたブラシ部５５とを備えている。
【０００３】
従来、このような従来の歯ブラシ５０にあっては、上記毛束部５４は平面略長方形状に形成され、毛は、先端部から後端部にかけて同一の長さ寸法であることから、毛束部５４の先端面部５７はフラットに形成されている。
【０００４】
このように、毛束部５１の毛の長さ寸法が同一で、先端面部５７がフラットに形成された歯ブラシ５０にあっては、以下のような不具合が生ずることが経験的に把握されている。
【０００５】
第一に、このような従来の歯ブラシ５０を以て歯を磨く場合に、特に、口腔内の奥にある第二小臼歯、第一大臼歯、及び第二大臼歯、を磨く際に非常に磨きにくい。
【０００６】
即ち、図１１に示すように、例えば、第二大臼歯５６の上面部５７及び歯茎部６８に面した歯茎側側面部６３を磨くために、歯ブラシ５０を口腔６６内に差し入れ、毛束部５４の先端面部５７を第二大臼歯５６の上面部７５に当接させて磨こうとした場合に、第二大臼歯５６の上面部７５の四偶部には凸部６４が形成されていることから、上記毛束部５４の先端面部５７の中央部６５が上記凸部６４に当接する。
その結果、上記凸部６４が障害となり、毛束部５４が第二大臼歯５６の上面部７５及び歯茎側側面部６３の形状に沿わないため、毛束５３が大臼歯５６の歯茎側側面部６３まで回り込むことができず、歯茎側側面部６３を充分に磨けない場合が多かった。
【０００７】
また、第二に、図１２に示すように、歯ブラシ５０により、第二大臼歯５６、第一大臼歯６０、第二小臼歯６１の側面部を磨こうとした場合にも非常に磨きにくい、という不具合があった。
【０００８】
即ち、第二大臼歯５６、第一大臼歯６０、第二小臼歯６１の間には、夫々、平面略Ｖ字状の空隙部５９、５９が形成されており、毛束部５４のフラットな先端面部５７が、互いに隣接する第二大臼歯５６、第一大臼歯６０、又は第一大臼歯６０、第二小臼歯６１の、互いに鋭角を以て配置される側面部５６ａ、６０ａ、６０ｂ、６１ａの形状に適合しない。
その結果、各空隙部５９、５９の内方にまで毛束５３が入り込まないことから、第二大臼歯５６、第一大臼歯６０、第二小臼歯６１の側面部５６ａ、６０ａ、６０ｂ、６１ｃが充分に磨けない場合が多かった。
【０００９】
第三に、図１３に示すように、従来の歯ブラシ５０によっては、前歯である切歯６９の裏面側７０の根本部分７４を磨きにくい、という不具合もあった。
即ち、切歯６９は、歯茎部６８の上方部位において肉厚部７１が形成されると共に歯根部７２はより肉薄に形成され、歯茎部６８には上記歯根部７２を包囲するように盛上部７３が形成されている。
【００１０】
従って、切歯６９の裏面側７０を磨くために、歯ブラシ５０を縦に使用して、毛束部５４を縦方向に切歯６９の裏面側７０に当接させた場合、従来の歯ブラシ５０の毛束部５４は先端面部５７がフラットに形成されていることから、上記盛上部７３と肉厚部７１とにより阻まれ、歯ブラシ５０の毛束部５４は切歯６９の根元部分７４へは入りにくい。
【００１１】
その結果、従来の歯ブラシ５０によっては、切歯６９の裏面側７０の根元部分７４が非常に磨きにくいものであった。
【００１２】
第四に、図１４に示すように、歯に矯正器材６２が装着されている場合には、第二大臼歯５６、第一大臼歯６０、第二小臼歯６１の表側側面部６４にワイヤー７７が固定部７６、７６、７６により配設固定される。
【００１３】
この状態で第二大臼歯５６、第一大臼歯６０、第二小臼歯６１を従来の歯ブラシ５０により磨こうとして、毛束部５４の毛束５３を歯の表面部とワイヤー７７との間に挿入した場合には、毛束５３が、ワイヤー７７の固定部７６と干渉すると共に、歯の表面部とワイヤー７７との間に挟まってしまい、第二大臼歯５６、第一大臼歯６０、第二小臼歯６１を磨きにくい場合が多かった。
【発明の開示】
【発明が解決しようとする課題】
【００１４】
本発明はこのような従来からの不具合を解決するためのものであって、その課題は、歯、特に、大臼歯及び小臼歯の側面部、間隙部及び、切歯の裏面部を容易かつ確実に磨くことができる歯ブラシを提供することにある。
【課題を解決するための手段】
【００１５】
上記課題達成のため、請求項１記載の発明にあっては、棒状の把持部と、上記把持部の端部に延設され、複数の毛束からなる毛束部を有するブラシ部とを備えた歯ブラシであって、上記把持部及びブラシ部は側面直線状に形成され、上記毛束部は、先端部に配設された先端毛束部と、上記先端毛束部よりも把持部側に設けられ、より小さい長さ寸法の毛束を有すると共に、上記先端毛束部よりも大きい平面範囲に亘って形成された段差部とを備え、上記段差部を構成する毛束の長さ寸法は、上記先端毛束部に隣接する毛束が最も短いと共に、後端部に至るに従って次第に大きくなるように形成されていることを特徴とする。
【００１６】
従って、請求項１記載の発明にあっては、歯、特に、大臼歯の凹凸のある上面部や、大臼歯の歯茎側側面部、さらに、互いに隣接する大臼歯又は小臼歯との間の、鋭角を以て対向して配置される側面部の間に上記先端毛束部が入り込み、また、上記段差部が大臼歯又は小臼歯の上面部及び側面部に毛束部が適合することにより上記側面部の間に先端毛束部が入り込む
【００１７】
また、矯正器材を装着した状態にあっても、上記同様に先端毛束部のみが、歯の表側側面部とワイヤーとの間に入り込み、歯の表側側面部を磨くことができる。さらに、切歯の裏面側においても、上記先端毛束部が切歯の根元部分と歯肉部との間へ入り込む。
【００１８】
請求項２記載の発明にあっては、上記先端毛束部に隣接する毛束の長さ寸法は、先端毛束部の長さ寸法の１／２以下に形成されていることを特徴とする。
【００１９】
従って、請求項２記載の発明にあっては、上記段差部は、大臼歯の凹凸部が形成された上面部、互いに隣接する大臼歯の対向する鋭角状に配置された側面部形状、及び切歯の裏面側の形状に適合する。
【００２０】
請求項３記載の発明にあっては、上記先端毛束部の毛の硬度は、上記段差部の毛の硬度より大きいことを特徴とする。
【００２１】
従って、請求項３記載の発明にあっては、先端毛束部は、段差部の毛束よりも長く形成されると共に、段差部よりも小さい平面範囲に亘って形成され、かつ、段差部の毛束の硬度よりも大きいことから、複数の大臼歯の間の空隙部や、矯正器材と歯表面との間の空隙、さらに、切歯の裏面側における根本部分と歯肉部との間に入りこみ易い。
【００２２】
請求項４記載の発明にあっては、上記毛束部は、上記把持部の長さ方向及び幅方向に沿って複数列に亘り配設され、長さ方向の列の方が幅方向の列よりも多数列に亘って配置され、先端毛束部は長さ方向に沿って２列であると共に、段差部は長さ方向に沿って７列以上に形成されていることを特徴とする。
【００２３】
請求項５記載の発明にあっては、上記先端毛束部を構成する毛束の長さ寸法は１ｃｍであると共に、上記段差部を構成する３列目及び４列目の毛束の長さ寸法は３〜４ｍｍであることを特徴とする。
【００２４】
請求項６記載の発明にあっては、上記段差部の把持部側端部を形成する長さ方向最後列の毛束部の長さ寸法は１ｃｍであることを特徴とする。
【００２５】
請求項７記載の発明にあっては、上記毛束を形成する複数の毛は、ナイロンおよび飽和ポリエステルから選択される少なくとも１種で形成されたことを特徴とする。
【発明の効果】
【００２６】
請求項１記載の発明に係る歯ブラシにあっては、従来の歯ブラシとは異なり、歯、特に、大臼歯の凹凸のある上面部や、大臼歯の歯茎側側面部、さらに、互いに隣接する大臼歯との間に形成され、鋭角を以て対向して配置される側面部の間に、上記先端毛束部が入り込み、大臼歯の上記側面部を容易かつ、迅速、確実に磨くことができる。
【００２７】
また、切歯の裏面側においても、上記先端毛束部が切歯の根元部分と歯肉部との間へ入り込みやすく、切歯の根元部分を容易かつ確実に磨くことができる。
【００２８】
さらに、歯に歯矯正材を装着した状態にあっても、従来の歯ブラシとは異なり、上記同様に先端毛束部のみが、歯の表側側面部とワイヤーとの間に入り込むことから、ワイヤーの固定部との干渉を起こすこともなく、歯の表側側面部を容易かつ迅速、確実に磨くことができる。
【００２９】
請求項２記載の発明にあっては、上記段差部は、段差部を構成する毛束の長さ寸法は、上記先端毛束部に隣接する毛束が最も短いと共に、後端部に至るに従って次第に大きくなるように形成されていることから、上記段差部は、大臼歯及び小臼歯の凹凸部が形成された表面部、及び互いに隣接する大臼歯及び小臼歯の、互いに対向して鋭角状に配置された側面部形状に確実に適合し、より容易かつ確実に磨くことができる。
【００３０】
さらに、切歯の裏面側を磨く際にも、歯ブラシを縦方向に使用することにより、先端毛束部を切歯の根本部と歯茎部の盛上部との間に挿入することができると共に、段差部を切歯の肉厚部に対応させて、全体として切歯の裏面側の形状に沿わせて当接させることができ、容易かつ確実に切歯裏面側を磨くことができる。
【００３１】
請求項３記載の発明にあっては、先端毛束部は、段差部の毛束よりも長く形成されると共に、段差部よりも小さい平面範囲に亘って形成され、かつ、段差部の毛束の硬度よりも大きいことから、複数の大臼歯及び小臼歯の間の空隙部や矯正器材と歯表面との間の空隙、さらに、切歯の根本部に入り込みやすく、矯正器材が装着された大臼歯及び小臼歯や切歯の裏面側の根本部をさらに容易かつ確実に磨くことができる。
【００３２】
請求項４記載の発明にあっては、上記毛束部は、上記把持部の長さ方向及び幅方向に沿って複数列に亘り配設され、長さ方向の列の方が幅方向の列よりも多数配置され、先端毛束部は長さ方向に沿って２列であると共に、段差部は長さ方向に沿って７列以上に形成されていることから、従来の歯ブラシと同様の全体形状を維持しており、使用の際の違和感をなくすことができる。
【００３３】
請求項５記載の発明にあっては、上記先端毛束部を構成する毛束の長さ寸法は１ｃｍであると共に、上記段差部を構成する３列目及び４列目の毛束の長さ寸法は３〜４ｍｍであることから、毛束部の構成は従来の歯ブラシと同様であることから、使用者は従来の歯ブラシと同様に、使用上の違和感なく使用することができる。
【００３４】
請求項６記載の発明にあっては、上記段差部の把持部側端部を形成する長さ方向最後列の毛束部の長さ寸法は１ｃｍであることから、先端毛束部の毛束の長さ寸法と同一であり、段差部により大臼歯の上面部又は側面部を包み込むように磨くことができるため、大臼歯をより確実に磨くことができる。
【００３５】
請求項８記載の発明にあっては、上記毛束を形成する毛は、ナイロンおよび飽和ポリエステルから選択される少なくとも１種で形成されていることから、従来の歯ブラシと同様の素材により違和感を与えることなく使用を可能にしている。
【図面の簡単な説明】
【００３６】
【図１】本発明に係る歯ブラシの一実施の形態を示す斜視図である。
【図２】本発明に係る歯ブラシの毛束部の毛束の配置状態を示す平面図である
【図３】本発明に係る歯ブラシの毛束部の毛束の配置状態を示す側面図である
【図４】本発明に係る歯ブラシの一実施の形態を示し、第二大臼歯の上面部に毛束部の上面部を当接させ、第二大臼歯の歯茎側側面部を磨く状態を示す側面図である。
【図５】本発明に係る歯ブラシの一実施の形態を示し、本発明に係る歯ブラシを寝かせて使用し、第二大臼歯と第一大臼歯との間の間隙部、及び第一大臼歯と第二小臼歯との間の間隙部に、歯の側面方向から当接させて磨く場合を示す平面図である。
【図６】本発明に係る歯ブラシの一実施の形態を示し、本発明に係る歯ブラシを立てて使用し、切歯の裏面側に毛束部を当接させて、切歯の根元部分を磨く場合を示す縦断面図である。
【図７】本発明に係る歯ブラシの一実施の形態を示し、歯に矯正器具が装着されている場合の、小臼歯及び大臼歯を磨く場合を示す側面図である。
【図８】従来の歯ブラシを用いて第二大臼歯の歯茎側側面部を磨くために毛束部を当接させた状態を示す側面図である。
【図９】従来の歯ブラシと本発明に係る歯ブラシを用いて第二小臼歯と第一大臼歯との間、及び第一大臼歯と第二大臼歯との間を磨く場合を対比して示す平面図である。
【図１０】従来の歯ブラシを一般的に示す斜視図である。
【図１１】従来の歯ブラシを用いて第二大臼歯の上面部に毛束部の上面部を当接させ、第二臼歯の歯茎側側面部を磨く状態を示す側面図である。
【図１２】従来の歯ブラシを寝かせて使用し、第二大臼歯と第一大臼歯との間の間隙部、及び第一大臼歯と第二小臼歯との間の間隙部を、歯の側面方向から歯ブラシの毛束部を当接させて磨く場合を示す図である。
【図１３】従来の歯ブラシを立てて使用し、切歯（前歯）の裏面側に毛束部を当接させて、切歯の根元部分を磨く場合を示す図である。
【図１４】従来の歯ブラシを用いて、歯に矯正器具が装着されている場合の小臼歯及び大臼歯を磨く場合を示す図である。
【発明を実施するための最良の形態】
【００３７】
以下、添付図面に示す実施の形態に基づき、本発明を詳細に説明する。
図１に示すように、本実施の形態に係る歯ブラシ１０は、棒状の把持部１１と、上記把持部１１の端部に首部５２を介して延設され、複数の毛束からなる毛束部１２を有するブラシ部１３とを備えている。
【００３８】
上記毛束部１２は、先端部１７に配設された先端毛束部１４と、上記先端毛束部１４よりも把持部１１側に設けられ、より小さい長さ寸法の毛束１６ｃ〜１６ｈを有すると共に上記先端毛束部１４よりも大きい平面範囲に亘って形成された段差部１５とを備えている。
【００３９】
上記段差部１５を構成する毛束１６の長さ寸法は、先端毛束部１４に隣接する毛束１６ｃが最も短いと共に後端部の毛束１６ｈに至るに従って次第に大きくなるように形成されている。
【００４０】
上記毛束部１２は、毛束１６が上記把持部１１の長さ方向及び幅方向に沿って複数列に亘り配設されて構成され、長さ方向の列の方が幅方向よりも多数列に亘って配設されている。
【００４１】
本実施の形態にあっては、図２に示すように、毛束部１２は、先端毛束部１４は長さ方向に沿って２列の毛束１６ａ、１６ｂにより構成されると共に、段差部１５は長さ方向に沿って６列の毛束１６ｃ、１６ｄ、１６ｅ、１６ｆ、１６ｇ、１６ｈにより、全体として長さ方向において８列の毛束１６により構成されている。また、長さ方向第一列の毛束１６ａのみは幅方向において２列に形成されている。
【００４２】
上記毛束１６の直径Ｌは１ｍｍであって５０本〜６０本の毛により構成され、各毛束１６は、各毛束１６の中央部１９を基準とした間隔Ｌ１は２ｍｍで配置されている。
【００４３】
図３に示すように、上記先端毛束部１４を構成する毛束１６ａ、１６ｂの長さ寸法Ｌ２は１ｃｍであると共に、上記段差部１５を構成する３列目の毛束１６ｃの長さ寸法Ｌ３は４〜５ｍｍであり、上記段差部１５の把持部側端部１８を形成する長さ方向最後列の毛束１６ｈの長さ寸法Ｌ４は１ｃｍである。
【００４４】
上記先端毛束部１４の毛束１６ａ、１６ｂを構成する毛の硬度は、上記段差部１５の毛の硬度より大きく形成されている。本実施の形態にあっては、上記毛束１６を形成する毛はナイロン製であり耐熱温度は８０℃に構成されている。
【００４５】
以下、本実施の形態に係る歯ブラシ１０の作用について説明する。
本実施の形態に係る歯ブラシ１０を使用して、図４に示すように、毛束部１２を、例えば、第二大臼歯５６の上面部２０及び歯茎側側面部２１に配置させた場合には、段差部１５が第二大臼歯５６の上面部２０の四偶部に形成された凸部２２に当接することにより、先端毛束部１４が歯茎部２３と歯茎側側面部２１との間の空隙部２４内に進入し、第二大臼歯５６の上面部２０及び歯茎側側面部２１を容易に磨くことができる。
この場合、上記のように、先端毛束部１４の毛束１６ａ、１６ｂを構成する毛の硬度は、上記段差部１５の毛の硬度より大きく形成されていることから、先端毛束部１４は、上記の空隙部２４内へ進入しやすい。
【００４６】
また、図５に示すように、本実施の形態に係る歯ブラシ１０を使用して第二大臼歯５６、第一大臼歯６０及び第二小臼歯６１の側面部２５を磨く場合には、歯ブラシ１０を寝かせて口腔２６内に挿入し、毛束部１２を例えば、第一大臼歯６０の側面部２５に当接させた場合には、上記第一大臼歯６０の側方凸部２７ａに上記段差部１５が適合し、上記先端毛束部１４が第一大臼歯６０と第二大臼歯６１との間の空隙部２８ａ内に進入する。
従って、第一大臼歯６０の側面部２５及び、第一大臼歯６０と第二大臼歯６１との間の空隙部２８ａ内を容易かつ確実に磨くことができる。
同様に、第一大臼歯６０及び第二小臼歯６１の側面部２５を磨く場合には、上記段差部１５が第二小臼歯６１の側方凸部２７ｂに適合し、先端毛束部１４が、第一大臼歯６０と第二小臼歯６１との間の空隙部２８ｂ内に侵入する。
その結果、第二小臼歯６１の側面部２５及び、第一大臼歯６０と第二小臼歯６１との間の空隙部２８ａ内を容易かつ確実に磨くことができる。
この場合、上記のように、先端毛束部１４の毛束１６ａ、１６ｂを構成する毛の硬度は、上記段差部１５の毛の硬度より大きく形成されていることから、先端毛束部１４は、上記の空隙部２８ａ、２８ｂ内へ進入しやすい。
【００４７】
また、図６に示すように、本実施の形態に係る歯ブラシ１０を用いて切歯６９の裏面側２９を磨く場合には、歯ブラシ１０を縦にして口腔２６内へ挿入し、毛束部１２を切歯６９の裏面側２９に当てる。
【００４８】
この場合、切歯６９の肉厚部７１には上記段差部１５が適合し、歯茎部２３の盛上部７３と肉厚部７１との間の空隙部３０には上記先端毛束部１４が進入する。その結果、切歯６９の裏面側２９及び切歯６９の肉厚部７１と歯茎部２３の盛上り７３部の間の空隙部３０内を、容易かつ確実に磨くことができる。
この場合、上記のように、先端毛束部１４の毛束１６ａ、１６ｂを構成する毛の硬度は、上記段差部１５の毛の硬度より大きく形成されていることから、先端毛束部１４は、上記の空隙部３０内へ進入しやすい。
【００４９】
さらに、図７に示すように、歯に矯正器材６２が装着されている状態の第二大臼歯５６、第一大臼歯６０及び第二小臼歯６１の側面部３１を磨く場合には、矯正器材６２を構成するワイヤー７７の固定部７６に段差部１５が対応するように、下方から第二大臼歯５６、第一大臼歯６０又は第二小臼歯６１の側面部３１とワイヤー７７の間隙に先端毛束部１４を挿入する。
その結果、先端毛束部１４が第二大臼歯５６、第一大臼歯６０又は第二小臼歯６１の側面部３１とワイヤー７７との間に入り込み、歯の側面部３１を磨くことができる。
【００５０】
この場合、本実施の形態にあっては、上記段差部１５の構成する毛束１６の長さ寸法は、先端毛束部１４の毛束１６ａ、１６ｂが最も長いと共に、段差部１５おいては、毛束１６ｃが最も短く、後端部に至るに従って次第に長くなるように形成され、上記段差部１５の長さ方向最後列の毛束１６ｈの長さ寸法Ｌ４は先端毛束部１４の毛の長さ寸法Ｌ２と同一に形成されていることから、段差部１５は歯の側面部３１の形状に沿って配置され、ワイヤー７７が配設されていない歯の側面部３１を適切に磨くことができる。
また、上記のように、先端毛束部１４の毛束１６ａ、１６ｂを構成する毛の硬度は、上記段差部１５の毛の硬度より大きく形成されていることから、先端毛束部１４は、第二大臼歯５６、第一大臼歯６０又は第二小臼歯６１の側面部３１とワイヤー７７との間に入り込みやすい。
【実施例１】
【００５１】
以下のように、本実施の形態に係る歯ブラシ１０に関し、従来の、ブラシ部の毛束部の先端面部がフラットに形成された歯ブラシ５０との対比実験を行った。
【００５２】
１）ブラシ部の口腔内への挿入角度について
上顎右上第２小臼歯と右上第１大臼歯の歯間部を清掃する際に歯ブラシの柄と中切歯間を通る正中線とにより形成される角度を調べた。表１中、上段は従来の歯ブラシであり、下段は本発明に係る歯ブラシである。
この場合、上記の形成される角度が少なければ少ないほど、腕、手等に無理のないブラッシングができるものと考えられる。
【表１】
0005451712.tif 000002
【００５３】
表１に示すように本願発明に係る歯ブラシのほうが正中線に対してより平行に近い状態で口腔内に挿入して目的部位にブラシを到達できるため、歯ブラシとしての操作性が高いと考えられる。従って、操作性が高いことにより清掃性の向上につながる。
本願発明に係る歯ブラシは、従来の歯ブラシの半分の角度であり、本願発明に係る歯ブラシの方が、圧倒的に、腕、手に負担のない状態でのブラッシングを可能にしている。
【００５４】
２）歯ブラシの歯間部への到達性
上顎口腔内模型を白の硬石膏を使用して作成した。従来の毛束の長さが同一の歯ブラシの先端部２列および当該歯ブラシの先端部２列にレッドコートを塗布し２０秒間挿入角度を同一にして（歯列に対して３０°）ブラッシングを行った。石膏に付着したレッドコート（歯垢染色剤）を比較して清掃性を検討した。
【表２】
0005451712.tif 000003
【００５５】
従来の毛束の長さが同一の歯ブラシで歯間部を選択的に刷掃しようとすると写真Ａのように第２小臼歯側面部に磨き残しが形成されている。
また歯間部に毛先を挿入しようとするためブラシ圧が高くなり（色素の沈着が写真Ｂより強い）歯肉に対しての侵害刺激が増してしまう。その上に、操作性が低いためブラシが目的部位の範囲を超えて当接することとなる。
一度に広範囲を清掃する、という観点で考えると従来の毛束の長さが同一の歯ブラシのほうが有利であるが、目的部位（たとえば矯正装置を装着した歯牙の清掃、歯間部歯頚部の清掃）をピンポイントで清掃するという観点で考えると本願発明に係る歯ブラシの方がはるかに優位性を有している。
【００５６】
３）大臼歯側面部を清掃する際に必要な力
図８に示すように、従来の毛束の長さが同一の歯ブラシ５０を使用する場合、例えば、第二大臼歯５６の上面部に毛束部を当接させて、第二大臼歯５６の側面部５８に歯ブラシ５０を到達させるために中央部６５（当接のさせ方によっては後方部）を折るようにして歯に当接させる必要がある。この際に必要な力を計測した（表３）。
一方、本願発明に係る歯ブラシ１０においては、このような到達させるための力は必要ない。なお、歯ブラシの重さは考慮していない。
【表３】
0005451712.tif 000004
【００５７】
４）歯間部の清掃について
図９に示すように、歯間部、例えば、第二小臼歯６１、第一大臼歯６０及び第二大臼歯５６の間を側面部方向から清掃する際にも、上記３）と同様である。
図９に示すように、従来の歯ブラシ５０の毛束部５４において、符号Ａで示す部位を折らないと歯間部７８に毛束部５４の先端部７４を挿入できない。
即ち、目的部位である歯間部７８に毛束部５４を到達させようとするためには、図９に示すように、毛束部５４に部分的に力を加えて、一部の毛束５３を折るようにしなければならない。
【００５８】
その結果、従来の歯ブラシ５０においては、歯間部７８の清掃を行う場合には、余分な力が必要となり、適切な力で、容易かつ確実にブラッシングを行うことは不可能である。
一方、図９において示される本願発明に係る歯ブラシ１０においては、例えば、段差部１５を第一大臼歯６０の側方凸部２７に当てることにより先端毛束部１４を容易に第二大臼歯５６と第一大臼歯６０との間の歯間部７８内へ挿入することができることが実験の結果判明している。
なお、本実施の形態における毛束部の幅寸法、配置寸法、毛束部の配置状態、毛束の素材に関しては、本実施の形態に限定されない。
【産業上の利用可能性】
【００５９】
本発明は、広く、大臼歯、小臼歯及び切歯を磨きやすい歯ブラシに適用することができることから、産業上の利用可能性を有している。
【符号の説明】
【００６０】
１０  歯ブラシ
１１  把持部
１２  毛束部
１３  ブラシ部
１４  先端毛束部
１５  段差部
１６  毛束
１７  先端部
１８  把持部側端部
１９  中央部
２０  上面部
２１  歯茎側側面部
２２  凸部
２３  歯茎部
２４  空隙部
２５  側面部
２６  口腔
２７  側方凸部
２８  空隙部
２９  裏面側
３０  空隙部
３１  側面部
５０  歯ブラシ
５１  把持部
５２  首部
５３  毛束
５４  毛束部
５６  第二大臼歯
５７  先端面部
５８  側面部
５９  空隙部
６０  第一大臼歯
６１  第二小臼歯
６２  矯正器材
６３  歯茎側側面部
６４  凸部
６５  中央部
６６  口腔
６７  表面部
６８  歯茎部
６９  切歯
７０  裏面側
７１  肉厚部
７２  歯根部
７３  盛上部
７４  先端部
７５  上面部
７６  固定部
７７  ワイヤー
７８  歯間部
Ｌ    毛束の幅寸法
Ｌ１  毛束間の、毛束中心との間の間隔寸法
Ｌ２  先端毛束部の長さ寸法
Ｌ３  段差部における先端に配置された毛束の長さ寸法
Ｌ４  段差部における後端に配置された毛束の長さ寸法
【図１】
0005451712.tif 000005
【図２】
0005451712.tif 000006
【図３】
0005451712.tif 000007
【図４】
0005451712.tif 000008
【図５】
0005451712.tif 000009
【図６】
0005451712.tif 000010
【図７】
0005451712.tif 000011
【図８】
0005451712.tif 000012
【図９】
0005451712.tif 000013
【図１０】
0005451712.tif 000014
【図１１】
0005451712.tif 000015
【図１２】
0005451712.tif 000016
【図１３】
0005451712.tif 000017
【図１４】
0005451712.tif 000018